(57)【特許請求の範囲】
【請求項１】
建物の開口部を形成する開口骨組の屋外側に防水シートを前記開口部を除いて配し、さらに前記開口部周縁に沿って弾性水密材を設け、この弾性水密材を前記防水シートとの間で圧縮するようにしてサッシ枠を前記開口部周縁に固定してなるとともに、
前記弾性水密材が前記開口部周縁の防水シートと前記サッシ枠のフランジ部との間で圧縮固定されており、
さらに、前記サッシ枠のフランジ部の屋内側に固定片が突設されていて、この固定片に前記開口骨組側から締付け部材が締め付けられ、当該締付け部材が前記サッシ枠のフランジ部の屋外側に露出されることなく係止されることにより前記サッシ枠が前記弾性水密材を圧縮状態に保った状態で前記開口部を形成する開口骨組に固定されていることを特徴とする開口枠防水構造。
【請求項２】
前記弾性水密材が発泡弾性水密材からなり、前記防水シートが透湿性のものであることを特徴とする請求項１記載の開口枠防水構造。
【発明の詳細な説明】
【０００１】
【発明の属する技術分野】
本発明は、建物の開口枠、例えば窓枠などの防水構造、特にサッシ枠部分の防水構造に関する。
【０００２】
【従来の技術】
従来、この種の建物の開口枠の防水構造として、特開平４−３６０９８１号公報にて提案されたものがある。すなわち、この開口枠は上水切および下水切が一体的に形成されており、かつ、定形シールをこれら水切の両端部に固定することにより、施工性ならびに防水信頼性の向上が図られている。その他、外壁材と窓サッシとの間を不定形シーリング材でシールする構造の開口枠の防水構造も知られている（特公平７−９１９２２号公報）。
【０００３】
【発明が解決しようとする課題】
しかし、前者の開口枠の防水構造によれば、防水面が、サッシ枠、定形シール材、水切、ガスケット、外壁材など多くの部品から構成されているため、部品間の継ぎ目がその分だけ多くなり、漏水の可能性も多くなり、又、施工手間も依然として面倒である。更に、防水面の形状も比較的複雑であり施工に困難を伴い、雨漏れが生じたとき、この原因箇所を特定することが困難となる。更に、上水切が外壁の裏に入り込んでいるためサッシ枠を交換する場合は窓上の外壁を取り外す必要がある。その他、防水には外壁材は不可欠となっており、外壁材を取付けるまで壁内の断熱材などを雨で濡らさない工夫が必要となるなどの問題がある。
【０００４】
後者の不定形シーリング材を用いシールする構造の開口枠防水構造の場合、不定形シーリング材が経年変化して劣化したり、不定形シーリング材の施工後の性能が施工者の技術に左右されるため、防水信頼性の点で問題がある。
本発明は、上述した如くの問題点を解消すべくなされたものであって、その目的とするところは、防水構造が簡単で、施工が容易であり、かつ、防水信頼性の高い建物の開口枠の防水構造を提供することにある。
【０００５】
【課題を解決するための手段】
上述の目的を達成すべく、本発明に係わる開口枠防水構造は、基本的には、建物の開口部を形成する開口骨組の屋外側に防水シートを前記開口部を除いて配し、さらに前記開口部周縁に沿って弾性水密材を設け、この弾性水密材を前記防水シートとの間で圧縮するようにしてサッシ枠を前記開口部周縁に固定してなるとともに、前記弾性水密材が前記開口部周縁の防水シートと前記サッシ枠のフランジ部との間で圧縮固定されるようにしてサッシ枠が前記開口部周縁に固定されており、さらに、前記サッシ枠のフランジ部の屋内側に固定片が突設されていて、この固定片に前記開口骨組側から締付け部材が締め付けられ、当該締付け部材が前記サッシ枠のフランジ部の屋外側に露出されることなく係止されることにより前記サッシ枠が前記弾性水密材を圧縮状態に保った状態で前記開口骨組に固定されていることを特徴とする。
【０００７】
前記弾性水密材としては、特に制限はないが、一般にウレタン、ＥＰＤＭ（エチレン・プロピレン・ジエン・ターポリマー）、非加硫ブチル、発泡ポリエチレン混入非加硫ブチル、これらの混合物などの発泡弾性水密材から選択することが好ましい。前記防水シートは、建物壁部内の結露を防止するため透湿性のものが好ましい。透湿性防水シートとしては、湿気を透過させるが水を通さないシートであって、屋外からの雨水等の水の通過を防止し、室内や断熱材層等からの湿気を屋外の方に放出する役目をする。この透湿防水シートの透湿度は、１００ｇ／ｍ2／２４ｈ以上、７０００ｇ／ｍ2／２４ｈ以下の範囲が適当な透湿効果が得られるので好ましい。また、この透湿防水シートの耐水圧は、１００ｍｍ以上、５０００ｍｍ以下の範囲が適当な防水効果が得られるので好ましい。このような透湿防水シートとしては、積水化学工業株式会社製「セルポア」、デュポン社製「タイベック」、旭化成工業株式会社製「ルクサー」等のオレフィン系樹脂を基材とする透湿防水シートなどがあげられる。
【０００８】
このような構成とされた本発明に係わる開口枠の防水構造においては、建物の屋外側に防水シートを開口部を除いて配し、さらに前記開口部周縁に沿って弾性水密材を設け、この弾性水密材を前記防水シートとの間で圧縮するようにしてサッシ枠を前記開口部周縁に固定するようにしたので、防水面に入組みがなく構造的に単純であり、従って施工が容易となり、部品間の継目が少なく高い防水信頼性が得られる。
【０００９】
しかも、前記弾性水密材が前記開口部周縁の防水シートと前記サッシ枠のフランジ部との間で圧縮固定されることにより防水がなされ、また、窓水切を使用しないため、サッシ枠の交換の際にも外壁の取外す必要もなくなり、簡単に行うことができる。
【００１０】
さらに、前記サッシ枠のフランジ部の屋内側に固定片を突設し、この固定片に締付け部材を前記サッシ枠のフランジ部の屋外側に露出されることなく係止させて前記サッシ枠を前記開口骨組に固定することにより、前記締付け部材を係止させた孔部からの漏水を回避することができる。
また、建物の開口部を除いて防水シートが予め配される構造となっているため（好ましくは開口部を除く外側壁面全体に）、外壁材の有無に拘らず、その内側に施工、配置された壁断熱材を雨で濡らす虞れもなくなる。
【００１１】
【発明の実施の形態】
以下に添付図面を参照して本発明の実施の形態を詳細に説明する。
ここで、図１は本発明に係る開口枠防水構造の一実施形態を概略的に示す分解斜視図であり、図２は図１に示す開口枠防水構造の１断面を概略的に示すものである。基本的には、この図２に示す断面が開口枠全周に亘ってほぼ同様の構成で形成されている。図示実施形態の開口枠防水構造は以下のように構成されている。
【００１２】
すなわち、建物の開口部１０を形成する開口骨組（基本的に、まぐさ１１、左右のスタッド１２、窓台１３から構成される）の屋外側（図示しない壁断熱材の外側を覆うようにして）に、前記開口部１０を除いて防水シート１４が建物の壁面（好ましくは開口部１０を除く全面）に取付け固定される。この防水シート１４の屋外側には前記開口部１０の周縁に沿うように四角枠状に形成された弾性水密材１５が配置される。この弾性水密材１５としては、特に制限はないが、一般にウレタン、ＥＰＤＭ（エチレン・プロピレン・ジエン・ターポリマー）、非加硫ブチル、発泡ポリエチレン混入非加硫ブチル、これらの混合物などの発泡弾性水密材から選択することができる。また、この弾性水密材１５の断面形状として図示の如き長方形のものに限らず、後述するサッシ枠のフランジ部の形状に応じて、あるいは防水作用等を考慮して任意の形状のものとすることができる。
【００１３】
前記弾性水密材１５の屋外側にはサッシ枠１６が配置され、その周縁部が前記弾性水密材１５の一部と嵌合、密着して前記弾性水密材１５を前記防水シート１４側に押圧し得るようになっている。すなわち、前記サッシ枠１６の周縁全周に沿ってフランジ部１６ａが一体的に形成されていて、このフランジ部１６ａの最外縁に沿って内方に開放されたＵ溝１６ｂが形成され、これに前記弾性水密材１５の一部が嵌合、密着するようになっており、更に、このＵ溝１６ｂを形成する一方の側壁から前記開口部１０へ向けて横方向に延出する固定片１６ｃが設けられていて、この固定片１６ｃに穿設された複数の孔１６ｄに例えばディジーリベット、ボルト・ナット、ビスなどの締付け部材１７の一端を係止させ、この締付け部材１７を前記開口骨組（基本的に、まぐさ１１、左右のスタッド１２、窓台１３から構成される）側から締付けることにより前記弾性水密材１５がその弾性に抗して圧縮され、前記防水シート１４と密着した状態で前記サッシ枠１６が前記開口骨組に固定される。
【００１４】
このようにして、前記サッシ枠１６を前記開口骨組に固定したのち、従来同様にして外壁材（図示しない）が前記防水シート１４の屋外側に取付けられる。上述のように、本発明の場合、前記防水シート１４が建物の屋外側壁面に予め配置されているから、外壁材に防水を頼らないため、防水性のない外壁材を用いることも可能となり、外壁材の選択の自由度が広がる。もちろん、防水性の外壁材を用いることにより、二重防水作用が得られ、前記開口部１０の防水信頼性を更に高めることができる。
【００１５】
前記サッシ枠１６を何らかの事情により交換する場合は、前記締付け部材１７を弛め、取り外すことにより、外壁材を特に取外す必要なく、簡単に行うことができる。
以上、本発明の一実施形態について説明したが、本発明は上記実施形態に限定されるものでなく、特許請求の範囲に記載されている発明の精神を逸脱しない範囲で設計において適宜変更できるものである。
【００１６】
例えば、上記実施例では、サッシ枠として通常の窓サッシの場合を想定して記載したが、このサッシ枠はシャッター本体内蔵型のものであってもよい。この場合、シャッター本体を含めた状態で前記Ｕ溝１６ｂを伴うフランジ部１６ａが形成され、これに前記弾性水密材１５が前記Ｕ溝１６ｂに部分的に嵌合するようにして施される。その他、本発明の開口枠防水構造は窓サッシ以外の類似の建物開口部に対しても適用することができる。
【００１７】
また、上記実施例では、前記固定片１６ｃが前記Ｕ溝１６ｂに一体的に形成された例について説明したが、これに限らず、この固定片は、前記Ｕ溝１６ｂより内側（前記開口部１０方向）に形成される限り、前記Ｕ溝１６ｂとは別体に前記サッシ枠１６のフランジの部分に形成してもよい。
【００１８】
【発明の効果】
以上の説明から理解されるように、本発明に係る建物の開口枠の防水構造は、構造的に簡単で、防水のための部品数が少なくて済むから施工が容易であり、かつ、継目数も少ないから防水信頼性を著しく向上させることができる。
【００１９】
さらに、外壁材に防水を頼らないため、防水性のない外壁材を用いることも可能となり、外壁材の選択の自由度が広がる。また、ユニット住宅の場合、外壁材を必ずしも工場で建物ユニットに予め取付ける必要性もなくなり、建築現場で取付けることができるから、建物ユニットに外壁材を取付けた状態で輸送する場合の振動等に起因する割れなどの問題を回避することができる。なお、防水性の外壁材を用いた場合は、二重防水がなされ、防水信頼性を更に高めることができる。さらに、従来のように防水のための不定形シーリング材を特に使用する必要がないから、経時変化による劣化、不定形シーリング材の施工不良などの問題の発生を回避することができる。
【図面の簡単な説明】
【図１】本発明の開口枠防水構造の一実施形態を概略的に示す分解斜視図。
【図２】図１に示す開口枠防水構造の１断面を概略的に示す拡大断面図。
【符号の説明】
１０…建物の開口部
１１…まぐさ
１２…スタッド
１３…窓台
１４…防水シート
１５…弾性水密材
１６…サッシ枠
１６ａ…フランジ部
１６ｂ…Ｕ溝
１６ｃ…固定片
１６ｄ…孔
１７…締付け部材
【図１】
0004067236.tif 000002
【図２】
0004067236.tif 000003